(57)【要約】【課題】開き戸をゆっくり開けた場合に対処出来ない【解決手段】開き戸Ｄの開閉時に生じる空気流に伴う低周波音を検知するための音圧センサ３と、複数種の開き戸Ｄで発生する低周波音の波形パターンをデータ化して予め記憶させておくための記憶手段６と、音圧センサ３からの電気信号と記憶手段６より抽出された格納データとを比較し合致した場合に検知信号を出力するＣＰＵ５と、該ＣＰＵ５からの出力信号により作動する警報手段７とを備えたことによって、開き戸Ｄの開閉時に必ず生じる空気流を対象にすることで、ゆっくり開けた場合であっても対処出来る。【選択図】図１
2009093477.tif 000002
【特許請求の範囲】
【請求項１】
開き戸の開閉時に生じる空気流に伴う低周波音を検知するための音圧センサと、複数種の開き戸で発生する低周波音の波形パターンをデータ化して予め記憶させておくための記憶手段と、音圧センサからの電気信号と記憶手段より抽出された格納データとを比較し合致した場合に検知信号を出力するＣＰＵと、ＣＰＵからの出力信号により作動する警報手段とを備えたことを特徴とする警報装置。
【請求項２】
開き戸の開閉時の空気圧変化に伴い発生する微弱な空気振動を検知するための空気圧センサを備え、音圧センサ及び空気圧センサの両方からの電気信号と格納データとを比較し両者が合致した場合にＣＰＵから検知信号を出力し警報手段を作動させる様にしたことを特徴とする請求項１記載の警報装置。
【請求項３】
請求項１乃至請求項２に記載の警報装置に受信手段を設け、該受信手段と、各開口部に設置したマグネットセンサを無線接続し、該マグネットセンサからの『ＯＦＦ』信号を受信手段が受信するとＣＰＵから検知信号を出力し警報手段を作動させる様にしたことを特徴とする警報装置。
【請求項４】
請求項１乃至請求項２に記載の警報装置に受信手段を設け、警報装置を遠隔操作するリモコンに緊急ボタン及び該緊急ボタンの『ＯＮ』信号の送信手段を備え、緊急ボタンの『ＯＮ』信号を受信手段が受信するとＣＰＵから検知信号を出力し警報手段を作動させる様にしたことを特徴とする警報装置。
【請求項５】
警報手段を、警報音発生手段としたことを特徴とする請求項１、２、３又は４記載の警報装置。
【請求項６】
警報手段を、予め指定された被通報者の端末に自動通報する通信手段としたことを特徴とする請求項１、２、３又は４記載の警報装置。
【請求項７】
複数の指定被通報者を設定し、且つ通報順序を設定し、通信手段に、被通報者の端末からの返信があるまで順序に従い通報し続ける機能を具備させたことを特徴とする警報装置。
【発明の詳細な説明】
【技術分野】
【０００１】
本発明は、外部からの侵入者を検知して警報を発する様にした警報装置に関する。
【背景技術】
【０００２】
従来、かかる警報装置として、開き戸の開閉音のサンプル音の音声データを記憶部に記憶し、異常音が発生した場合、異常音を音声データ化し、制御部によって記憶部に記憶されるサンプルデータに基づき異常音であるか否かを検出し、両者が一致した場合、通信部によって予め登録されている通信先の携帯電話に異常を通知することを可能にしたものが見受けられる（例えば、特許文献１参照）。
【０００３】
【特許文献１】特開２００２−３１２８６０号公報（特許請求の範囲、段落番号〔０００５〕、〔０００７〕、〔０００９〕〜〔００１１〕、図１）
【発明の開示】
【発明が解決しようとする課題】
【０００４】
しかし、上記従来技術にあっては、音声データであることから、開き戸を音あ立てない様にゆっくりあけた場合に対処出来ないなど、解決せねばならない課題があった。
【課題を解決するための手段】
【０００５】
本発明は、上記従来技術に基づく、開き戸をゆっくり開けた場合に対処出来ない課題に鑑み、開き戸の開閉時に生じる空気流に伴う低周波音を検知するための音圧センサと、複数種の開き戸で発生する低周波音の波形パターンをデータ化して予め記憶させておくための記憶手段と、音圧センサからの電気信号と記憶手段より抽出された格納データとを比較し合致した場合に検知信号を出力するＣＰＵと、ＣＰＵからの出力信号により作動する警報手段とを備えたことによって、開き戸の開閉時に必ず生じる空気流を対象にすることで、ゆっくり開けた場合であっても対処可能にして、上記課題を解決する。
【発明の効果】
【０００６】
要するに本発明は、開き戸の開閉時に生じる空気流に伴う低周波音を検知するための音圧センサと、複数種の開き戸で発生する低周波音の波形パターンをデータ化して予め記憶させておくための記憶手段と、音圧センサからの電気信号と記憶手段より抽出された格納データとを比較し合致した場合に検知信号を出力するＣＰＵと、ＣＰＵからの出力信号により作動する警報手段とを備えたので、かかる警報装置はその他の音で反応しないため、錠の開閉音、蝶番の軋み音等が立たない様に開き戸をゆっくりあけても反応して警報を発することが出来る。
而も、開き戸の開閉時の空気圧変化に伴い発生する微弱な空気振動を検知するための空気圧センサを備え、音圧センサ及び空気圧センサの両方からの電気信号と格納データとを比較し両者が合致した場合にＣＰＵから検知信号を出力し警報手段を作動させる様にしたので、両方での異常検知により侵入と判断されるため、誤作動し難くすることが出来る。
【０００７】
請求項１乃至請求項２に記載の警報装置に受信手段を設け、該受信手段と、各開口部に設置したマグネットセンサを無線接続し、該マグネットセンサからの『ＯＦＦ』信号を受信手段が受信するとＣＰＵから検知信号を出力し警報手段を作動させる様にしたので、開閉音を発し難い開き戸にマグネットセンサを設置すれば、開口部からの侵入も阻止することが出来る。
【０００８】
帰宅した住人が、既に忍び込んでいた侵入者に室内で襲われたり、侵入者が物色中に帰宅し襲われたり、或いは住人に重大な健康異常が発生することも多々あることから、請求項１乃至請求項２に記載の警報装置に受信手段を設け、警報装置を遠隔操作するリモコンに緊急ボタン及び該緊急ボタンの『ＯＮ』信号の送信手段を備え、緊急ボタンの『ＯＮ』信号を受信手段が受信するとＣＰＵから検知信号を出力し警報手段を作動させる様にしたので、上記事態が発生しても手元のリモコンの緊急ボタンを押せば、警報手段により侵入者を撃退したり、隣人に緊急事態であることを知らせることが出来、例えば警報手段を予め任意人数指定しておいたの被通報者への自動通信とした場合、緊急ボタンを押せば指定被通報者に緊急警報を通報することが出来る。
【０００９】
警報手段を、警報音の発生手段としたので、侵入者、同居人及び隣人に警報音が直接聞こえるため、侵入者を驚かせて撃退させたり、同居人や隣人を駆けつけられる様にすることが出来る。
【００１０】
警報手段を、指定被通報者の端末に自動通報する通信手段としたので、指定被通報者の端末への通信により侵入警報や、リモコンの緊急ボタンによる緊急警報を自動通報することが出来るため、どこに居ても侵入・緊急通報を受けることが出来、而も被通報者側の端末でのボタン操作により警報装置を通話可能な状態にしたり、室内音だけを聞くことが可能な状態にすることも出来る。
而も、複数の指定被通報者を指定可能にし、且つ通報順序を設定し、通信手段に、被通報者の端末からの返信があるまで順序に従い通報し続ける機能を具備させたので、侵入警報やリモコンの緊急ボタンによる緊急警報を指定被通報者の誰かに確実に確認させることが出来る等その実用的効果甚だ大である。
【発明を実施するための最良の形態】
【００１１】
本発明に係る警報装置は、主に装置本体１と、該装置本体１と無線接続された複数個のマグネットセンサ２、2a…とを有している。
【００１２】
上記装置本体１は、図１、２に示す様に、開き戸Ｄの開閉時に生じる空気流に伴う低周波音（１８Ｈｚ以上）を検知するための音圧センサ３を備え、望ましくは該音圧センサ３と開き戸Ｄの開閉時の空気圧変化に伴い発生する微弱な空気振動（１８Ｈｚ以下）を検知するための空気圧センサ４の両方を備え、音圧センサ３で、若しくは音圧センサ３及び空気圧センサ４の両方で検知した音、空気振動の電気信号をＣＰＵ５に入力し、記憶手段６に格納されたデータと比較し一致した場合に異常検知と判断し検知信号を出力し警報手段７を作動させる様にしている。
又、音圧センサ３及び空気圧センサ４からの出力を増幅手段15、16で増幅してＣＰＵ５へ出力するのが好ましい。
【００１３】
上記マグネットセンサ２、2a…にあっては、図１に示す様に、センサ本体と送信装置を１組として両者を近接配置して、送信装置に対しセンサ本体が離間すると送信装置から『ＯＦＦ』信号を送信する様に成っており、図１におけるマグネットセンサ２の様に、開き戸に設置するタイプであったり、図１におけるマグネットセンサ2a、2bの様に、両引き戸に設置するタイプがあり、特に後者の場合、内側戸の中央側部分に送信装置を、外側戸における内側戸側の送信装置の対向位置にセンサ本体を夫々設置すれば、１つの開口部に対し１つのマグネットセンサで対応可能になる。
更に、装置本体１に、上記マグネットセンサ２、2a…の『ＯＦＦ』信号等の受信手段８を設け、受信手段８で受信した信号をＣＰＵ５に入力し、該ＣＰＵ５から検知信号を出力し警報手段７を作動させる様にしている。
つまり、上記音圧センサ３及び空気圧センサ４により探知した変化を電気信号化し、その周波数、波形パターン等が、格納データと一致した場合に異常検知したと判断し警報等を実行する様にしている。
【００１４】
上記装置本体１は、装置本体１側のセンサ３、４及びマグネットセンサ２、2a…の両方で警戒する『全警戒モード』、マグネットセンサ２、2a…だけで警戒する『部分警戒モード』、装置本体１及びマグネットセンサ２、2a…の両方での警戒を解除する『解除モード』の様に警戒モードを変更可能にしている。
装置本体１を遠隔操作するリモコン９にあっては、上記警報モードの切替ボタン10の他、緊急ボタン10を備え、且つ切替ボタン10による切替信号及び緊急ボタン11による緊急信号の送信手段12を備え、切替ボタン10及び緊急ボタン11を押し送信手段12から送信された信号を装置本体１が受信すると、装置本体１の警報モードを変更したり、警報手段７が作動する様に成っている。
【００１５】
上記警報手段７にあっては、警報音発生手段13であったり、侵入警報被通報者ＡＰ１、ＡＰ２…の端末ＡＴ１、ＡＴ２…又は緊急警報被通報者ＥＰ１、ＥＰ２…の端末ＥＴ１、ＥＴ２…に自動通報する通信手段14とし、前者にあっては、異常検知後に警報音発生手段13により設定時間警報音を鳴らし、後者にあっては、異常検知後に、装置本体１から侵入警報被通報者ＡＰ１、ＡＰ２…又は緊急警報被通報者ＥＰ１、ＥＰ２…の端末ＡＴ１、ＡＴ２…、ＥＴ１、ＥＴ２…に自動通報する様にし、具体的には、通信手段14に具備されたオートダイヤル機能により、メモリー内の電話番号に基づき該当する侵入警報被通報者ＡＰ１、ＡＰ２…又は緊急警報被通報者ＥＰ１、ＥＰ２…の端末ＡＴ１、ＡＴ２…、ＥＴ１、ＥＴ２…に通信する様にしている。
尚、警報音発生手段13及び通信手段14の両方で警報手段７を構成するのが好ましい。
【００１６】
次に、本発明に係る警報装置の作用について説明する。
装置本体１及びマグネットセンサ２、2a…の両方で警戒する『全警戒モード』、マグネットセンサ２、2a…だけで警戒する『部分警戒モード』、及び装置本体１及びマグネットセンサ２、2a…の両方での警戒を解除する『解除モード』の様に警戒モードを変更可能にしたことで、留守中の警戒モードを『全警戒モード』とし、在宅中の警戒モードを『部分警戒モード』又は『解除モード』として、例えば就寝中にトイレなどに行く場合など、開き戸Ｄは確実に開閉されるため、本体を『部分警戒モード』にし、メイン機能（音圧センサ３及び空気圧センサ４による異常検知機能）は解除するが、各開口部に設置し無線接続されたマグネットセンサ２、2a…だけを『ＯＮ』状態にしておけば、外部侵入の危険性を排除して安全確保が可能になる。
そして、リモコン９によっても『全警戒モード』、『部分警戒モード』及び『解除モード』の変更を遠隔操作可能にし、帰宅時に開き戸Ｄを開ける前に切替ボタン10を押して、装置本体１の警報モードを『全警戒モード』から『解除モード』に移行させることが可能になる。
【００１７】
そして、侵入者が開き戸Ｄを開放したことで発生する空気流に伴う低周波音（１８Ｈｚ以上）を音圧センサ３で検知し電気信号化して出力し、該音圧センサ３からの出力を増幅手段15で増幅しＣＰＵ５へ出力し、且つ開き戸Ｄを開放したことで室内空気が微妙に室外に吸引・排出されることとなり、室内の空気圧が変化して該室内に所定振動数（１０〜０．１ｎＨｚ程度）の微弱な空気振動が発生し、この振動を空気圧センサ４で検知し電気信号化して出力し、該空気圧センサ４からの出力を増幅手段16で増幅しＣＰＵ５へ出力し、格納されたデータと比較し、両者が合致したと判定され警報手段７を作動させるが、合致しなければ警報手段７は作動しない。
【００１８】
装置本体１に通信手段14が備わっていることから、予め複数の被通報者の電話番号を登録しておき、望ましくは侵入警報被通報者ＡＰ１、ＡＰ２…のものとリモコン９による緊急警報被通報者ＥＰ１、ＥＰ２…のものとに区分けして登録しておき、装置本体１に上記電話番号のオートダイヤル機能を具備させて、異常確認後に自動通知することも可能である。
例えば、センサ３、４による異常確認後、指定された複数の侵入警報被通報者ＡＰ１、ＡＰ２…に指定された順序で通報する様に設定し、先ず１次被通報者ＡＰ１に通報した後確認信号が返信されなければ、次の２次被通報者ＡＰ２に通報することを確認信号が返信されるまで順次３次以降の被通報者ＡＰ３…に通報し、最終被通報者ＡＰｎからも確認信号が返信されなければ、再度１次被通報者ＡＰ１に通報して上記工程を繰り返す。
特に『全警戒モード』の場合、異常確認後に警報音発生手段13により設定時間警報音を鳴らし、被通報者ＡＰ１、ＡＰ２…から確認信号が返信されなければ次の通報時に再度設定時間警報音を鳴らす様にしても良い。
尚、通報者ＡＰ１、ＡＰ２…が端末ＡＴ１、ＡＴ２…を通話状態にして警報を聞いたとしても、確認信号が返信されなければ、次の通報者に通報する様にしている。
【００１９】
又、帰宅した住人が、既に忍び込んでいた侵入者に室内で襲われたり、侵入者が物色中に帰宅し襲われたり、或いは住人に重大な健康異常が発生することも多々あることから、装置本体１の機能を『全警戒モード』、『部分警戒モード』又は『解除モード』に選択可能にしたリモコン９の緊急ボタン11を押せば、例え『解除モード』であったとしても、装置本体１から警報音が鳴って侵入者を撃退したり隣人に知らせ、登録された緊急警報被通報者ＥＰ１、ＥＰ２…、登録されていなければ侵入警報被通報者ＡＰ１、ＡＰ２…に緊急警報を通報することも可能である。
その通報方法も、上記侵入警報の通報方法と同一としても良い。
【００２０】
装置本体１の通信手段14は通常の固定電話と同等の機能を有し、住居側のモジュラージャックＭＪと装置本体１を接続すると共に、固定電話ＦＴと装置本体１を接続して、固定電話ＦＴを装置本体１を介してモジュラージャックＭＪに接続する様に夫々設置して、装置本体１を保存の通信網Ｗに接続し、侵入警報又は緊急警報の際には、装置本体１からのメッセージを確認した上で、侵入又は緊急警報被通報者ＡＰ１、ＡＰ２…、ＥＰ１、ＥＰ２…の端末ＡＴ１、ＡＴ２…、ＥＴ１、ＥＴ２…のボタン操作により、通報されたことの確認信号を装置本体１に返信したり、装置本体１を通話可能な状態にしたり、装置本体１で室内音を聞くことを可能にしている。
又、上記機能に加えて、装置本体１の現在の警戒モードを確認したり、装置本体１の警戒モードを変更したり、或いは装置本体１が『解除モード』の場合に警報音を鳴らす様に遠隔操作することも可能にしている。
つまり、被通報者ＡＰ１、ＡＰ２…、ＥＰ１、ＥＰ２…側の端末ＡＴ１、ＡＴ２…、ＥＴ１、ＥＴ２…のボタンをプッシュする際の電子音で、実行すべき操作を装置本体１側のＣＰＵ５が判断し、すべき操作を実行する様にしている。
但し、上記説明は、あくまでも装置本体１がモジュラージャックＭＪに接続されていることが前提であり、未接続の場合には、侵入確認毎に所定時間警報音が鳴る様に設定されている。
【００２１】
又、図１において侵入警報被通報者ＡＰ１、ＡＰ２…及び緊急警報被通報者ＥＰ１、ＥＰ２…は夫々３人であるが、かかる人数に限定されなず、夫々登録可能な人数枠が設定されており、その人数以内であれば何人でも良い。
【図面の簡単な説明】
【００２２】
【図１】本発明に係る警報装置による警報システムを示す概略図である。
【図２】警報装置のブロック図である。
【図３】通信手段による通報方法を示すフローチャート図である。
【図４】警報音『ＯＦＦ』の場合の通報方法を示すフローチャート図である。
【図５（Ａ）】警報音『ＯＮ』の場合の通報方法の一例を示すフローチャート図である。
【図５（Ｂ）】警報音『ＯＮ』の場合の通報方法の他の実施例を示すフローチャート図である。
【図６】リモコンの緊急ボタンを押した場合のフローチャート図である。
【符号の説明】
【００２３】
２、2a…          マグネットセンサ
３                音圧センサ
４                空気圧センサ
５                ＣＰＵ
６                記憶手段
７                警報手段
８                受信手段
９                リモコン
11                緊急ボタン
12                警報音発生手段
13                通信手段
ＡＰ１、ＡＰ２…  侵入警報被通報者
ＥＰ１、ＥＰ２…  緊急警報被通報者
ＡＴ１、ＡＴ２…  端末
ＥＴ１、ＥＴ２…  端末
【図１】
2009093477.tif 000003
【図２】
2009093477.tif 000004
【図３】
2009093477.tif 000005
【図４】
2009093477.tif 000006
【図５（Ａ）】
2009093477.tif 000007
【図５（Ｂ）】
2009093477.tif 000008
【図６】
2009093477.tif 000009